(57)【特許請求の範囲】
【請求項１】
乗客を輸送する移動踏板の両側に立設されて、その上端部を移動手摺りが走行する欄干と，この欄干の外側に構成される外側デッキと，この外側デッキ端部から下方に配設される外装板とを有し，上記移動踏板の上部を覆う乗客コンベアの養生装置において，
上記乗客コンベアの上下部乗降部の、カバープレートの枠外あるいはその周辺の床にそれぞれ一対で設置され、正面、両側面および上面の少なくとも四方の間仕切り面を有して箱状に構成された乗降部養生装置と、これら一対の乗降部養生装置の乗降部側にそれぞれ連結される一対の連結部材と、これら一対の連結部材間で上記移動踏板の幅方向に間隔をおいて少なくとも二本張設されるワイヤーと、その筒部に上記ワイヤーが挿通されることによりこのワイヤーに支持されて上記欄干の外側両側面および上面の三方を乗客コンベアの傾斜部全体において覆う養生シートから成る傾斜部養生装置とを備えて構成したことを特徴とする乗客コンベアの養生装置。
【請求項２】
請求項１に記載のものにおいて，
上記カバープレートを外した状態で乗客コンベアの内部構造体に固定され、上記カバープレートの開口部を塞ぐ板状体と、この板状体に設けられ上記乗降部養生装置の底部をそれぞれ保持固定する保持具とからなる固定部材を備えて構成したことを特徴とする乗客コンベアの養生装置。
【発明の詳細な説明】
【０００１】
【発明の属する技術分野】
本発明は，乗客コンベアの修理改造等の工事を行う際に使用する乗客コンベアの養生装置に関する。
【０００２】
【従来の技術】
乗客コンベアとしてのエスカレーターでは，そのリニューアル工事の際に，エスカレーターの周囲全体を床から天井まで壁で遮蔽する養生装置を設置している。しかし，デパート等の店舗に設置されたエスカレーターのリニューアル工事を行う場合，工事期間中でも店舗の営業をそのまま継続して行うため，上述したような大掛かりな養生では営業の障害となるという不都合があった。
【０００３】
そこで従来の乗客コンベアの養生装置では，特開平１０−７３５７号公報に記載のように欄干のゴム手摺り表面を支点として一対のエスカレーター欄干部を一体的にゴム製カバーで囲うことが行われていた。
【０００４】
【発明が解決しようとする課題】
しかしながら，従来の乗客コンベアの養生装置では，ゴム手摺り表面を支点としてゴム製カバーで囲っていたため，欄干の撤去を伴うようなリニューアル作業には適用できなかった。
【０００５】
本発明の目的は，欄干の撤去を伴うリニューアル作業においても簡単に養生することができる乗客コンベアの養生装置を提供するにある。
【０００６】
【課題を解決するための手段】
本発明は上記目的を達成するために，乗客を輸送する移動踏板の両側に立設されて、その上端部を移動手摺りが走行する欄干と，この欄干の外側に構成される外側デッキと，この外側デッキ端部から下方に配設される外装板とを有し，上記移動踏板の上部を覆う乗客コンベアの養生装置において，上記乗客コンベアの上下部乗降部の、カバープレートの枠外あるいはその周辺の床にそれぞれ一対で設置され、正面、両側面および上面の少なくとも四方の間仕切り面を有して箱状に構成された乗降部養生装置と、これら一対の乗降部養生装置の乗降部側にそれぞれ連結される一対の連結部材と、これら一対の連結部材間で上記移動踏板の幅方向に間隔をおいて少なくとも二本張設されるワイヤーと、その筒部に上記ワイヤーが挿通されることによりこのワイヤーに支持されて上記欄干の外側両側面および上面の三方を乗客コンベアの傾斜部全体において覆う養生シートから成る傾斜部養生装置とを備えて構成したことを特徴とする。
【０００７】
上記のように本発明による乗客コンベアの養生装置は，上下部に設置した正面、両側面および上面の少なくとも四方の間仕切り面を有する乗降部養生装置に、連設部材を介して少なくとも二本張設されるワイヤーに、傾斜部養生装置の養生シートを結合したものであるため，従来のように移動手摺りなどを支点とする必要がなく，欄干の撤去を伴うリニューアル作業にも適用できる。
【０００８】
【発明の実施の形態】
以下，本発明の実施の形態を図面に基づいて説明する。
【０００９】
図１８は，一般的な乗客コンベアの概略構成を示す斜視図である。
【００１０】
高さの異なる床間に配設されたエスカレーターは，無端状に連結された複数の移動踏段１の両側部にそれぞれスカートガード２を立設し，このスカートガード２の上端に上面を形成する内側デッキ３を配設し，この内側デッキ３の側部より欄干４を立設し，この欄干４の上端部を走行するように無端状に移動手摺り５をそれぞれ設けて構成している。欄干４の外側部には上面を形成する外側デッキ６を配設し，この外側デッキ６の外側端部から下方にエスカレーター構造体の側板となる外装板７を配設している。また，乗降部の床板となるコームプレート８と乗降部の床板となるカバープレート９が配置され，このカバープレート９は着脱自在に構成されて，例えば点検作業などの際にこのカバープレート９を取り外し，図示しないエスカレーターの内部駆動機構や制御盤の点検等が行えるように構成している。
【００１１】
図１は，本発明の発明者らが先に考案した乗客コンベアの養生装置の第１参考例を示す斜視図である。
【００１２】
上部のコームプレート８およびカバープレート９の近傍の床上には，箱状に構成された鋼板などのパネルを載置して構成した上部乗降部養生装置１０を配置し，同様に下部のコームプレート８およびカバープレート９の近傍の床上には，箱状に構成された鋼板などのパネルを載置して構成した下部乗降部養生装置１１を配置し，これらの上部乗降部養生装置１０と下部乗降部養生装置１１間には，それぞれの外側デッキ６上に載置すると共に可撓性シートで略コ字状に形成した傾斜部養生装置１２を配置している。
【００１３】
図３は，上述した傾斜部養生装置１２を示す正面図である。
【００１４】
傾斜部養生装置１２は，図示を省略した移動踏板の走行方向に所定の間隔を隔てて複数の略コ字状骨組み１３を配置しており，この略コ字状骨組み１３は移動踏板の上部に位置する上部と，両側に位置する脚部とから略コ字状に形成している。これら複数の略コ字状骨組み１３の上部には，この略コ字状骨組み１３と同じく断面形状が略コ字状に縫製されたテント地などで構成した可撓性の養生シート１４が配置され，後述する方法で両者が結合されている。
【００１５】
図２は，このような傾斜部養生装置１２の取付状態を示す断面図である。
【００１６】
養生シート１４の内面側の三方にそれぞれ筒部１４ａが形成されており，複数の略コ字状骨組み１３を各筒部１４ａ内に挿通することによって養生シート１４と略コ字状骨組み１３間を結合している。しかし他の構造では，養生シート１４の内面側に連結した紐を設け，この紐で略コ字状骨組み１３を縛るようにして両者を固定してもよいし，略コ字状骨組み１３および養生シート１４にそれぞれ対になるマジックテープ（登録商標）を備え，このマジックテープ（登録商標）によって着脱自在に結合してもよい。
【００１７】
こうして傾斜部養生装置１２は，移動踏板の上部とその両側にそれぞれ間仕切り面を形成している。移動踏板１の上部に位置する略コ字状骨組み１３の上部の間仕切り面は欄干４および移動手摺り５の上方に位置し，また両脚部側の間仕切り面は移動手摺り５および欄干４の外側に位置しており，両脚部の下端は，外側デッキ６もしくは外側デッキ６が取り付けられる構造体あるいは外装板７の上に立設支持されている。養生シート１４の側方下端は，略コ字状骨組み１３の両脚部よりもやや長めに形成しており，外側デッキ６あるいは外装板７との間に隙間が生じないようにしている。
【００１８】
上述したように略コ字状骨組み１３の幅は，その両脚部の下端が外側デッキ６の上面に載置され，移動手摺り５や欄干４に保持されることがなく傾斜部養生装置１２を自立させることができる。従って，リニューアル工事の進行段階で欄干４が取り外されているような状況においても，傾斜部養生装置１２の形状は変わらない。また略コ字状骨組み１３の幅を，外側デッキ６を固定しているフレーム１５に合わせるようにすると，リニューアル工事の進行段階で外側デッキ６が取り外されているような状況においても，フレーム１５に略コ字状骨組み１３の両脚部下端を支持することができる。この場合，傾斜部養生装置１２の高さが変わるが，例えば外側デッキ６とフレーム１５との隙間分だけ傾斜部養生装置１２の高さが低くなるとすれば，その分だけ，予め移動手摺り５と傾斜部養生装置１２との隙間を余分に形成した略コ字状骨組み１３とすればよい。さらに，略コ字状骨組み１３の両脚部下端を外装板７の上端部に載置するように略コ字状骨組み１３の幅を設定したり，略コ字状骨組み１３の両脚部下端にマグネットを設け，このマグネットによって外側デッキ６あるいはフレーム１５もしくは外装板７に吸着固定するようにしてもよい。
【００１９】
この傾斜部養生装置１２は，図３に示した移動踏板の走行方向にほぼ等間隔に配設した複数の略コ字状骨組み１３を有しており，各略コ字状骨組み１３間に位置する養生シート１４を図示のように折り曲げて各略コ字状骨組み１３間を密接させると，各略コ字状骨組み１３の配列方向に縮小して，搬送性を向上させることもできる。設置時には，傾斜部養生装置１２の各略コ字状骨組み１３の配列方向両端部を相反する方向に引っ張り伸びた状態を保持させたり，各略コ字状骨組み１３間を図示しない別の骨組みで所定間隔に支持することによって伸縮状態を機械的に保持するようにしてもよい。
【００２０】
また，一般的なエスカレーターの傾斜部長さは１０ｍであり，これに対して傾斜部養生装置１２は，図３に示した各略コ字状骨組み１３の配列方向を例えば３〜４ｍ程度に分割することによって搬送性や設置作業性を向上することができる。このような分割式にすると，エスカレーターの傾斜部長さに応じて傾斜部養生装置１２の個数を変更したり，一つの傾斜部養生装置１２の各略コ字状骨組み１３間の間隔を調整することによってエスカレーターの傾斜部長さの変動にも同一品で対応可能になり経済的でもある。
【００２１】
分割化した各傾斜部養生装置１２間の連結構造は，図４に示すようにそれぞれの傾斜部養生装置１２の養生シート１４端部に折り返し面１４ｂを設け，この折り返し面１４ｂにマジックテープ（登録商標）１６を縫い付け，隣接する傾斜部養生装置１２におけるマジックテープ（登録商標）１６同士を貼り合わせることで結合することができる。ここで，マジックテープ（登録商標）１６の変わりにマグネットや，ねじ止め構造としてもよい。また，養生シート１４に連結部を設けるのでなく，略コ字状骨組み１３に連結部を設け，隣接する傾斜部養生装置１２の略コ字状骨組み１３同士を結合させる構造にしてもよい。このような連結構造は，傾斜部養生装置１２だけではなく，上部乗降部養生装置１０および下部乗降部養生１１との結合にも同様に適用できる。
【００２２】
また，図１に示した上部乗降部養生装置１０および下部乗降部養生装置１１は，左側箱体１０ａ，１１ａと，右側箱体１０ｂ，１１ｂと，これら箱体間に配置した上面塞ぎ板１０ｃ，１１ｃおよび正面塞ぎ板１０ｄ，１１ｄとから構成されている。
【００２３】
上下部乗降部養生装置１０，１１の設置途中段階では，図５に示すように左側箱体１０ａ，１１ａと右側箱体１０ｂ，１１ｂ間の上面塞ぎ板１０ｃ，１１ｃおよび正面塞ぎ板１０ｄ，１１ｄは外されている。これは傾斜部養生装置１２の設置作業の中で，例えば傾斜部養生装置１２と上下部乗降部養生装置１０，１１間の連結作業をした作業者が，前述した上面塞ぎ板１０ｃ，１１ｃと，正面塞ぎ板１０ｄ，１１ｄを外した開口部から外に出て，最後に上面塞ぎ板１０ｃ，１１ｃおよび正面塞ぎ板１０ｄ，１１ｄを取り付けることで設置作業を完了するようにしている。ここで，上面塞ぎ板１０ｃ，１１ｃおよび正面塞ぎ板１０ｄ，１１ｄとして幅寸法の異なるものを複数種準備すれば，幅寸法の異なる機種のエスカレーターにおいても同一左側箱体１０ａ，１１ａおよび右側箱体１０ｂ，１１ｂを使用して対応できる。
【００２４】
このような乗客コンベアの養生装置によれば，欄干４および移動手摺り５の外側に位置する外側デッキ６あるいは外装板７などに支持すると共に，欄干４および移動手摺り５の上部を覆った傾斜部養生装置１２を有しているため，乗客コンベアを容易に養生することができ，欄干の撤去を伴うリニューアル作業も行うことができる。しかも，上下部乗降部養生装置１０，１１および傾斜部養生装置１２としては，略コ字状の複数の略コ字状骨組み１３と，この略コ字状骨組み１３に組み合わされて同じく断面形状が略コ字状に縫製されたテント地などで成る養生シート１４から構成したため，各略コ字状骨組み１３を近接させて容易に軸方向に畳んだ状態にすることができ，運搬も極めて容易である。
【００２５】
図６は，本発明の発明者らが先に考案した乗客コンベアの養生装置の第２参考例を示す斜視図である。
【００２６】
先の第１参考例においては，上下部乗降部養生装置１０，１１および傾斜部養生装置１２は，図３に示すように略コ字状の骨組み１３と，この略コ字状骨組み１３に組み合わされて同じく断面形状が略コ字状に縫製されたテント地などで成る養生シート１４から構成し，上下部乗降部養生装置１０，１１の骨組み１３の配列方向と，傾斜部養生装置１２の略コ字状骨組み１３の配列方向とを異ならせていたが，この第２参考例では，上下部乗降部養生装置１０，１１および傾斜部養生装置１２の骨組み１３の配列方向を同一にしている。これら三者の養生装置１１〜１３を連結しても，上下部乗降部養生装置１０，１１の端部は開放状態なので，それら両端部にも養生シート１４ｃを備え，この養生シート１４ｃに例えばファスナーで開閉可能な出入口部２２ａを形成している。
【００２７】
ここで，上下部乗降部養生装置１０，１１および傾斜部養生装置１２は，必ずしも別体に製作した後に連絡する必要はなく，一体構造としたりすることもできる。
【００２８】
このような乗客コンベアの養生装置によれば，上下部乗降部養生装置１０，１１および傾斜部養生装置１２の基本的構成を同一にすることができるので，その製作は一層容易になる他，先の第１参考例と同様の効果を得ることができる。
【００２９】
図７および図８は，本発明の発明者らが先に考案した乗客コンベアの養生装置の第３参考例を示す斜視図および断面図であり，先の参考例との同等物には同一符号を付けて詳細な説明を省略し，その相違部について説明する。
【００３０】
通常の乗客コンベアのリニューアル工事の際して，先ず，欄干４および移動手摺り５の外側に位置する外側デッキ６上にガイドレール２３を載置し，適当な方法でこれを固定する。その後，欄干４および移動手摺り５の上部を覆った傾斜部養生装置１２を配置し，この傾斜部養生装置１２の略コ字状の複数の略コ字状骨組み１３の下端部をこのガイドレール２３に固定して傾斜部養生装置１２全体を支持している。
【００３１】
このように外側デッキ６上に配置したガイドレール２３上に傾斜部養生装置１２を配置するようにしたため，傾斜部養生装置１２の位置決めを行う際，骨組み１３の下端をガイドレール２３に沿って摺動させて位置調整を容易に行うことができる。同様に撤去作業もガイドレール２３を利用して効率的かつ安全に行うことができる。
【００３２】
図９および図１０は，本発明の発明者らが先に考案した乗客コンベアの養生装置の第４参考例を示す断面図であり，先の参考例との同等物には同一符号を付けて詳細な説明を省略し，その相違部について説明する。
【００３３】
ここでは便宜上，上部乗降部養生装置１０について説明するが，下部乗降部養生装置１１についても同様である。この上部乗降部養生装置１０は，図１に示した第１参考例の場合と同様に左側箱体１０ａと右側箱体１０ｂとを対向配置して構成している。左側箱体１０ａと右側箱体１０ｂは，それぞれの高さを板厚分だけ異ならせて図９に示すように上面が重なり合うようにしている。従って，左側箱体１０ａと右側箱体１０ｂの対向部の重なり寸法を変えることによって，図１０に示すように左側箱体１０ａと右側箱体１０ｂの対向距離を変えることができるので，同一の上部乗降部養生装置１０を用いて幅寸法の異なる機種の乗客コンベアにも対応可能である。
【００３４】
図１１は，本発明の発明者らが先に考案した乗客コンベアの養生装置の第５参考例を示す側面図である。
【００３５】
両端部にそれぞれほぼ垂直に略コ字状骨組み２４ａを配置し，この略コ字状骨組み２４ａ間に複数の略コ字状骨組み２４を所定距離隔てて傾斜して配置し，各隣接する略コ字状骨組み２４，２４ａの同側における脚部の上端部および下端部間にそれぞれ回動自在にシャフト２５を連結している。各略コ字状骨組み２４，２４ａは，その両側における脚部の上端部および下端部にそれぞれピンを備え，一方，各シャフト２５はその両端のそれぞれ穴部を有し，このシャフト２５の穴部に略コ字状骨組み２４，２４ａのピンを挿入し，その後，割りピン等の抜け防止を付加することで両者を回動可能に連結している。
【００３６】
養生シート１４は略コ字状骨組み２４，２４ａの上部横枠に一定の間隔で結合されており，ここで，養生シート１４と略コ字状骨組み２４，２４ａの結合は，例えば，養生シート１４に袋状に縫製した穴部を設け，この穴部に略コ字状骨組み２４，２４ａを挿入するような構造とし，結合部で略コ字状骨組み２４，２４ａは回動自在である。また，この養生シート１４を設けた袋状の穴部をマジックテープ等で開閉自在としてもよい。
【００３７】
このような養生装置は，先の参考例と同様に図２に示した高さと幅を有して，欄干４および移動手摺り５の外側に位置する外側デッキ６もしくは外側デッキが取り付けられる構造体あるいは外装板７などに立設支持しているため，先の参考例と同様の効果を期待することができる。また，略コ字状骨組み２４，２４ａとシャフト２５の配列方向の間隔を狭めることで全体の長さを縮小でき，略コ字状骨組み２４，２４ａとシャフト２５の配列方向の間隔を広げたとき，最終的には養生シート１４によって略コ字状骨組み２４，２４ａの間隔が拘束されて養生シート１４を張ることができる。養生シート１４へ結合した略コ字状骨組み２４，２４ａの配列方向の間隔を変えることで，伸張時における養生装置の形状を変えることができる。
【００３８】
また，略コ字状骨組み２４，２４ａの両脚部下端にはそれぞれ車輪２６が取り付けられており，この車輪２６を先の参考例の場合と同様に外側デッキ６などの上面に載置可能で，移動手摺り５や欄干４に保持されることなく自立させることができるので，欄干４の撤去を伴うリニューアル作業にも適用できる。さらには外側デッキの固定フレーム１５や外装板７にも載置可能なので，外側デッキ６の撤去を伴うリニューアル作業にも適用できる。
【００３９】
同図では，養生シート１４を略コ字状骨組み２４，２４ａの上部横枠にしか設けていないが，略コ字状骨組み２４，２４ａにおける両側脚部つまり側面にも養生シート１４を設ける。このとき両脚部に設けられる養生シート１４も略コ字状骨組み２４，２４ａの縦枠に結合するのが望ましい。
【００４０】
図１２は，本発明の発明者らが先に考案した乗客コンベアの養生装置の第６参考例を示す要部側面図である。
【００４１】
乗客コンベアのＲ部で湾曲した外側デッキ６上に図１１に示した養生装置を設置する場合，所定距離隔てた略コ字状骨組み２４の下部間を連結シャフト２７で連結して位置決めしている。これによって養生シート１４を伸張させるために養生装置全体を広げる方向に引っ張った場合，乗客コンベアのＲ部で車輪２６が浮き上がるのを抑えることができる。また，連結シャフト２７で連結した部分の側面に設けた養生シート１４は，乗客コンベアのＲ部の形状に合わせて裁断したものを使用するとよい。
【００４２】
図１３および図１４は，本発明の一実施形態による乗客コンベアの養生装置の要部を示す正面図であり，先の参考例との同等物には同一符号を付けて詳細な説明を省略し，その相違部について説明する。
【００４３】
図１３および図１４に示す固定部材１７は，上下部乗降部養生装置１０，１１を乗客コンベアの養生装置の乗降部への固定する手段として，カバープレート９より一回り小さい床板１８と，床板１８面にボルトで連結されたフック状の固定ブラケット１９と，床板１８両端部が垂直に曲げられた枠部を有し，枠部に螺合される固定ボルト２０と、床板１８の両端部を垂直に曲げた枠部にボルトで連結されたフック状の固定フック２１とを備えている。
【００４４】
その組立ては，まずカバープレート９を外し，このカバープレート９が設置されていた床枠３１に床板１８を載置し，この床枠３１を床板１８と固定フック２１とで挟み込むようにして固定フック２１を締め込むことにより固定部材１７自体をエスカレーター構造体にしっかりと固定する。次に，左側箱体１０ａ，１１ａおよび右側箱体１０ｂ，１１ｂの枠組み２２を固定ブラケット１９で挟み込み固定する。
【００４５】
本実施形態の養生装置によれば，上下部乗降部養生装置１０，１１の浮き上がりを防止すると共に，第３者の接触による位置ずれなどが発生する心配がない。
【００４６】
なお、本実施形態では、床板１８により、カバープレート９を外した状態で内部構造体に固定され，カバープレート９の開口部を塞ぐ板状体が構成され、固定ブラケット１９により、枠組み２２を保持する保持具が構成されている。
【００４７】
図１５は本実施形態による乗客コンベアの養生装置における傾斜部養生装置の骨組みを示す斜視図、図１６は図１５に示す傾斜部養生装置の骨組みに養生シートを被せた状態を示す斜視図、図１７は図１６の傾斜部養生装置の取付状態を示す断面図であり，先の参考例との同等物には同一符号を付けて詳細な説明を省略し，その相違部について説明する。
【００４８】
図１５に示す本実施形態では、上部のコームプレート８およびカバープレート９の近傍の床上に，箱状に構成された鋼板などのパネルを載置して構成した上部乗降部養生装置１０を配置して，この上部乗降部養生装置１０の乗客コンベア乗降部側の端部に連結部材２９ａ，２９ｂを設け，同様に下部のコームプレート８およびカバープレート９の近傍の床上に，箱状に構成された鋼板などのパネルを載置して構成した下部乗降部養生装置１１を配置し，この下部乗降部養生装置１１の乗客コンベア乗降部側の端部に連結部材３０ａ，３０ｂを設けて，連結部材２９ａ，３０ｂ間にワイヤー２８を張設し、他の連結部材２９ｂ，３０ａ間にも他のワイヤー２８を張設する。そして、図１７に示すように養生シート１４の内面側の左右角部にそれぞれ筒部１４ｄが形成されており，ワイヤー２８を筒部１４ｄ内に挿通することによって養生シート１４とワイヤー２８を結合している。
【００４９】
このような構成した本実施形態にあっては，上記した傾斜部養生装置１２として使用する骨組み１３を略コ字状に形成しなくても，移動手摺り５や欄干４に保持されることなく自立させることができるので，欄干４の撤去を伴うリニューアル作業にも適用できる。従って，リニューアル工事の進行段階で欄干４が取り外されているような状況においても，傾斜部養生装置１２の形状は変わらない。さらに、外側デッキ６の固定フレーム１５や外装板７にも載置可能なので，外側デッキ６の撤去を伴うリニューアル作業にも適用できる。また，傾斜部養生装置１２を養生シート１４で構成したので，設置および撤去作業が容易になると共に，搬送性にも向上させることができる。
【００５０】
なお、本実施形態では、養生シート１４の内面側の左右角部にそれぞれ筒部１４ｄを形成し，この筒部１４ｄ内にワイヤー２８を挿通するようにしたが、筒部１４ｄの代わりに、養生シート１４の内面側に連結した紐を設け，この紐でワイヤー２８を縛るようにして両者を固定してもよいし，ワイヤー２８および養生シート１４にそれぞれ対になるマジックテープ（登録商標）を備え，このマジックテープ（登録商標）によって着脱自在に結合してもよい。
【００５１】
【発明の効果】
以上説明したように本発明による乗客コンベアの養生装置は，上下部に設置した正面、両側面および上面の少なくとも四方の間仕切り面を有する乗降部養生装置に、連設部材を介して少なくとも二本張設されるワイヤーに、傾斜部養生装置の養生シートを結合したものであるため，従来のように移動手摺りなどを支点とする必要がなく，欄干の撤去を伴うリニューアル作業にも適用できる。
【図面の簡単な説明】
【図１】  本発明の発明者らが先に考案した乗客コンベアの養生装置の第１参考例を示す斜視図である。
【図２】  図１に示した乗客コンベアの養生装置における傾斜部養生装置の部分断面正面図である。
【図３】  図２に示した傾斜部養生装置の一部を示す斜視図である。
【図４】  図２に示した傾斜部養生装置の連結部を示す斜視図である。
【図５】  図１に示した乗客コンベアの養生装置を設置する途中の状態を示す斜視図である。
【図６】  本発明の発明者らが先に考案した乗客コンベアの養生装置の第２参考例を示す斜視図である。
【図７】  本発明の発明者らが先に考案した乗客コンベアの養生装置の第３参考例を示す斜視図である。
【図８】  図７に示した乗客コンベアの養生装置の要部断面図である。
【図９】  本発明の発明者らが先に考案した乗客コンベアの養生装置の第４参考例の要部断面図である。
【図１０】  図９に示した乗客コンベアの養生装置の要部断面図である。
【図１１】  本発明の発明者らが先に考案した乗客コンベアの養生装置の第５参考例を示す側面図である。
【図１２】  本発明の発明者らが先に考案した乗客コンベアの養生装置の第６参考例を示す側面図である。
【図１３】  本発明の一実施形態による乗客コンベアの養生装置の平面図である。
【図１４】  図１３の乗客コンベアの養生装置の要部を示す正面図である。
【図１５】  本実施形態による乗客コンベアの養生装置における傾斜部養生装置の骨組みを示す斜視図である。
【図１６】  図１５に示す傾斜部養生装置の骨組みに養生シートを被せた状態を示す斜視図である。
【図１７】  図１６の傾斜部養生装置の取付状態を示す断面図である。
【図１８】  一般的な乗客コンベアの斜視図である。
【符号の説明】
１  移動踏段
２  スカートガード
３  内側デッキ
４  欄干
５  移動手摺り
６  外側デッキ
７  外装板
８  コームプレート
９  カバープレート
１０  上部乗降部養生装置
１１  下部乗降部養生装置
１０ａ，１１ａ  左側箱体
１０ｂ，１１ｂ  右側箱体
１０ｃ，１１ｃ  上面塞ぎ板
１０ｄ，１１ｄ  正面塞ぎ板
１２  傾斜部養生装置
１３  略コ字状骨組み
１４  養生シート
１４ａ  筒部（略コ字状骨組み用）
１４ｂ  折り返し面
１４ｃ  養生シート
１４ｄ  筒部（ワイヤー用）
１５  フレーム
１６  マジックテープ（登録商標）
１７  固定部材
１８  床板（板状体）
１９  固定ブラケット（保持具）
２０  固定ボルト
２１  固定フック
２２  枠組み
２３  ガイドレール
２４，２４ａ  略コ字状骨組み
２５  シャフト
２７  連結シャフト
２８  ワイヤー
２９ａ，２９ｂ  連結部材
３０ａ，３０ｂ  連結部材
３１  床枠
【図１】
0004063534.tif 000002
【図２】
0004063534.tif 000003
【図３】
0004063534.tif 000004
【図４】
0004063534.tif 000005
【図５】
0004063534.tif 000006
【図６】
0004063534.tif 000007
【図７】
0004063534.tif 000008
【図８】
0004063534.tif 000009
【図９】
0004063534.tif 000010
【図１０】
0004063534.tif 000011
【図１１】
0004063534.tif 000012
【図１２】
0004063534.tif 000013
【図１３】
0004063534.tif 000014
【図１４】
0004063534.tif 000015
【図１５】
0004063534.tif 000016
【図１６】
0004063534.tif 000017
【図１７】
0004063534.tif 000018
【図１８】
0004063534.tif 000019